(57)【要約】【課題】  発泡樹脂製フロートの劣化、飛散を防ぐためフロート全面をカバーすることができ、従来の硬質樹脂製フロートよりも安価で、使用したフロートを回収する際にも、発泡樹脂製フロートとカバーの隙間に入った水を迅速に排出し、回収作業の作業性を向上させるフロートカバーを提供する【解決手段】  発泡樹脂製フロートの全面を覆う開閉可能なフロートカバー１であって、耐候性や耐水性に富む樹脂で所定の板厚に成形されて成ると共に、カバー１内の水を排水する排水部（鋸歯状スリット４）を備えた。【選択図】        図１
2006006239.tif 000002
【特許請求の範囲】
【請求項１】
発泡樹脂製フロートの全面を覆う開閉可能なフロートカバーであって、耐候性や耐水性に富む樹脂で所定の板厚に成形されて成ると共に、カバー内の水を排水する排水部を備えたことを特徴とするフロートカバー。
【請求項２】
前記排水部として、前記発泡樹脂製フロートを構成する発泡樹脂粒子が流出不可な開口部を形成したことを特徴とする請求項１記載のフロートカバー。
【請求項３】
前記発泡樹脂製フロートの外周を一回以上周回するように取り付けられた取手用部材を備えたことを特徴とする請求項１又は請求項２記載のフロートカバー。
【請求項４】
前記排水部として、フロート取付用部材が巻かれて締め付けられる部分に鋸歯状スリットを形成したことを特徴とする請求項１ないし請求項３のいずれかに記載のフロートカバー。
【発明の詳細な説明】
【技術分野】
【０００１】
本願発明は、牡蠣養殖などの貝類養殖や魚類の養殖用筏等の施設を水上に浮遊させるためのフロート、特に発泡スチロール製フロート等の発泡樹脂製フロートの全面を覆う開閉可能なフロートカバーに関するものである。
【背景技術】
【０００２】
現在、海面養殖等で用いられる発泡スチロール製フロートはポリエチレンのクロス生地等で縫製された袋状のカバーを装着し使用されている。
【０００３】
これは、発泡スチロール製フロートはカバーを装着せずに使用すると、紫外線による表面の劣化、波力による筏との擦れや船の接岸による衝撃等により発泡スチロール製フロートを構成する発泡スチロールビーズ（粒子）が飛散し、浮力の低下をもたらすと共に飛散したビーズは浮遊ゴミとなり周辺環境の悪化をもたらすためである。
【０００４】
また、このような発砲スチロール製フロートにおいて海水に常時浸漬される部分には海藻類、甲殻類、貝類が付着し、その生態活動によりフロート表面が侵食され上記と同様に発泡スチロールビーズが飛散する結果となる。
【０００５】
しかしながら、ポリエチレンクロス生地で縫製された袋状のカバーを用いる対策を行っていても、波動による擦れや紫外線による劣化によりカバー自身が破損するケースが多く、その耐久寿命は２〜３年と短いためカバーの交換を頻繁に行わなければならない。この交換作業は、養殖筏等に設置した状態ではできないため、海上でフロートの取り外し，取り付けを行わなければならず危険と労力を伴う作業となっている。このため、養殖対象の育成期間とカバー交換のサイクルが合わなければカバーが破損したまま放置されることも珍しくない。
【０００６】
フロートへのメンテナンスの労力を削減するものとしては特許文献１に開示の構造がある。これは、球形フロート下部に貝類が付着するのを防ぐために考案された樹脂性の着脱式フロートカバーであり、下部に連結部が設けられた２枚のカバー片のそれぞれでフロートの両側を包み込むように装着し、着脱をなし得るように締結片を両カバー片上部に跨がって設けると共に、カバー片のそれぞれの上部に切り欠き切り口を設け、この切り口よりフロートの頭部をフロートカバーの上方に開放してなるものであるが、これは発泡スチロール製フロートを対象としたものでなく、筏を支えるという用途上フロート上面の強度が必要なため適していない。
【０００７】
上記と同様の観点からフロート表面が硬質樹脂性のフロートが製造されているが、価格が従来の発泡スチロール製フロートの３倍〜５倍と高価であり、養殖業者への経済的な負担が大きく、材料が硬質樹脂であるが故に表面の摩擦係数が低く、筏への取り付けロープなどが滑る等の問題もあり普及していない。
【０００８】
また、使用済み発泡スチロール製フロートの廃棄処理が高額であることも問題視されており、これを解決する方法の一つとして特許文献２に開示の構造がある。これはプラスチック又はＦＲＰの容器に、密閉されたボトル類や非浸水性発泡プラスチック片を充満し、該容器を密閉して構成される海洋フロートであるが、密閉式のため強度が必要となり、高価なため普及していない。
【０００９】
さらに、ポリエチレンのクロス生地等で縫製された袋状フロートカバーの使用上の問題点の１つとして、海上等で使用したフロートを回収する際、内部に浸入した水が重量を増加させ作業性を悪化させている。
【特許文献１】実開平６−４５４４８号公報
【特許文献２】実開平６−６１０６４号公報
【発明の開示】
【発明が解決しようとする課題】
【００１０】
そこで、本願発明は、発泡樹脂製フロートの劣化、飛散を防ぐためフロート全面をカバーすることができ、従来の硬質樹脂製フロートよりも安価で、使用したフロートを回収する際にも、発泡樹脂製フロートとカバーの隙間に入った水を迅速に排出し、回収作業の作業性を向上させるフロートカバーを提供することを目的とするものである。
【００１１】
また、硬質樹脂製フロートの問題であるフロートを固定するロープなどの滑りによる筏等からの脱落防止機能を持つフロートカバーを提供することを目的とするものである。
【課題を解決するための手段】
【００１２】
上記のような目的を達成するために、本願発明に係るフロートカバーは、発泡樹脂製フロートの全面を覆う開閉可能なフロートカバーであって、耐候性や耐水性に富む樹脂で所定の板厚に成形されて成ると共に、カバー内の水を排水する排水部を備えたことを特徴とするものである。
【００１３】
また、前記排水部として、前記発泡樹脂製フロートを構成する発泡樹脂粒子が流出不可な開口部を形成したことを特徴とするものである。
【００１４】
さらに、前記発泡樹脂製フロートの外周を一回以上周回するように取り付けられた取手用部材を備えたことを特徴とするものである。
【００１５】
また、前記排水部として、フロート取付用部材が巻かれて締め付けられる部分に鋸歯状スリットを形成したことを特徴とするものである。
【発明の効果】
【００１６】
本願発明によるフロートカバーを発泡樹脂製フロートに装着することにより、発泡樹脂製フロートの劣化、飛散を防ぐためフロート全面をカバーすることができ、排水部を備えて密閉しないことにより構造の簡略化が図れて従来の硬質樹脂製フロートよりも安価で、使用したフロートを回収するためフロート引き揚げ作業を行う際にも、発泡樹脂製フロートとカバーの隙間に入った水を迅速に排出することで、引き揚げ重量を軽減して回収作業の作業性を向上させる。また、使用済みフロートの再利用が可能になり、新規の発泡樹脂製フロートを利用した場合は耐久年数の飛躍的な向上とメンテナンスの労力が削減可能となる。
【００１７】
また、前記排水部として、発泡樹脂製フロートを構成する発泡樹脂粒子が流出不可な開口部を形成したことにより、使用済みフロートを再利用した場合等に発泡樹脂製フロートを構成する発泡樹脂粒子が脱落してもゴミとして流出飛散するのを防ぐことができる。
【００１８】
さらに、発泡樹脂製フロートの外周を一回以上周回するように取り付けられた取手用部材を備えたことにより、取手に作用する引張り力は内部の発泡樹脂製フロートに掛かるため、フロートカバーにそのための強度は必要なく局部的な板厚増加や金具の挿入によるコストアップを避けることができる。
【００１９】
また、前記排水部として、フロート取付用部材が巻かれて締め付けられる部分に鋸歯状スリットを形成したことにより、排水部の上述した作用効果に加えて、フロート取付用部材でフロート外周を締め付けることにより、この部分に形成された鋸歯状スリットがフロートカバー内部に向け変形し、発泡樹脂製フロートにスパイク状に食い込むことにより両者を固定し、尚且つフロート取付用部材が適度にフロートに食い込み位置ずれを防止する。
【発明を実施するための最良の形態】
【００２０】
以下、本願発明の実施形態を図面を参照して詳細に説明する。
【００２１】
図１は、本願発明の一実施形態に係るフロートカバーが装着されたフロートＦの正面図、図２はその側面図、図３は図１のＡ−Ａ断面図、図４は図１のＢ−Ｂ断面図、図５は図１のＣ−Ｃ断面図、図６はフロートカバーの取付図、図７は筏への取付上面図、図８は図７のＤ−Ｄ断面図である。
【００２２】
本実施形態のフロートカバー１は、円柱状の発泡スチロール製フロート２の全面を覆う開閉可能な樹脂製カバーであって、図６に示すように円筒を一辺側を切り残して半分に割ったような形態に成形されて開閉可能に構成されている。
【００２３】
具体的に説明すると、このフロートカバー１は、耐候性や耐水性に富むポリエチレン樹脂やポリプロピレン樹脂等で回転成形もしくはブロー成形で成形される。直径はφ６９０ｍｍ、長さは１１６０ｍｍとなっており、板厚は０．５ｍｍ〜３ｍｍの間で成形されている。発泡スチロール製フロート２とのクリアランスは２〜５ｍｍ程度となっている。
【００２４】
上記フロートカバー１を図６に示すようにして発泡スチロール製フロート２に取り付けた後、開閉口１ａ，１ａの周縁に対応して形成された孔１ｂ，１ｂ同士を抜け止め用の爪が形成された樹脂性クリップ３により締結することで、発泡スチロール製フロート２の全面をカバーし、外力により発泡スチロール製フロート２を構成する発泡ビーズが脱落飛散するのを防ぐと共に、遮光性を持たせて紫外線による劣化も防ぐことができるようになっている。
【００２５】
このフロートカバー１は発泡スチロール製フロート２を密閉するものではなく、フロートカバー１周面において後述するフロート取付用バンド７が巻かれて締め付けられる部分に形成された鋸歯状スリット４により内外の物質移動を可能にしている。密閉しないことにより構造の簡略化が図られ、より安価に製造することが可能になった。
【００２６】
上記鋸歯状スリット４は、発泡スチロール製フロート２を構成する球形発泡ビーズの直径３ｍｍを超えるものが流出しないように幅３ｍｍ未満のスリットになっている。また、鋸歯状スリット４は一定間隔で設けられ、各鋸歯状スリット４間にはカバー表面より一段低くなった溝１ｃが形成されている。これは、スリットが全周にあったのでは割れてしまうし、フロート取付用バンド７を締める時の抵抗が大きすぎるため一定間隔で溝１ｃを配置してある。
【００２７】
上述した内外の物質移動とはここでは水の移動のことを指し、フロートカバー１を取り付けた発泡スチロール製フロート２を水上から船上へ引き揚げる際、フロートカバー１と発泡樹脂製フロート２の隙間にある水で重量が増加し作業性を極端に悪化させるため、この水を鋸歯状スリット４から外部に迅速に排出することで重量を軽減し作業性を高めるものである。
【００２８】
ここで、内外の物質移動があるということで海藻類，甲殻類，貝類が付着し、その生態活動によりフロート表面が侵食されることが懸念されるが、フロートカバー１内部は太陽光が遮断されるため、生物の育成には適さず大量に繁殖しないことは確認されており、発泡スチロール製フロート２が重大な損傷を受けることはない。
【００２９】
フロートカバー１を発泡スチロール製フロート2に取り付けた後、樹脂性クリップ３で開閉口１ａを閉じフロートＦを形成するが、これの持ち運びに際し取手がないと作業性が悪いため、取手用ロープ５が図５に示すようにフロートカバー１の表皮を縫う様に配置され、フロートＦを組み立てた後にロープ端部同士を結ぶことで取手６としている。
【００３０】
上記方式で取手６を形成することにより、取手６に掛かる荷重は内部の発泡スチロール製フロート２が受けるため、フロートカバー１にそのための強度は必要なく局部的な板厚増加や金具の挿入によるコストアップを避けている。
【００３１】
また、このフロートＦの牡蠣養殖などの筏への取り付けは、筏の長手方向にわたって下側に掛け渡された一対のレールＲ（図７，図８参照）の下側にフロートＦを配置して、フロートＦ胴部両側に巻かれたフロート取付用バンド７の両端に結び付けられた番線（針金）８を一対のレールＲ上で捻り回転変形させテンションを与えることで筏に固定している（本方法は牡蠣養殖の一般的なフロート固定方法）。
【００３２】
この際、フロート取付用バンド７がフロートＦに食い込む力が発生することで、鋸歯状スリット４がフロートカバー１内部に向け変形し、発泡スチロール製フロート２にスパイク状に食い込み、フロートカバー１と発泡スチロール製フロート２を固定し、尚且つフロートバンド7が適度にフロートに食い込み位置ずれを防止する。
【００３３】
このフロートカバー１は、新品の発泡樹脂製フロート２だけではなく使用済みのフロートを内部に入れて使用することも可能であり、資源の有効活用に配慮している。
【００３４】
このように、フロートカバー１を発泡スチロール製フロート２に装着することにより、使用済みフロートの再利用が可能になり、新規の発泡スチロール製フロート２を利用した場合は耐久年数の飛躍的な向上とメンテナンスの労力が削減可能となる。
【００３５】
図９は、本願発明の他の実施形態に係るフロートカバーが装着されたフロートＦの正面図、図１０はその側面図、図１１は図９のＥ−Ｅ断面図、図１２はフロートカバーの取付図であり、前記実施形態と同一符号は同一又は相当部分を示している。
【００３６】
本実施形態においては、円筒状のフロートカバー１を左右２部品に分割して成るフロートカバー左９、フロートカバー右１０を前記実施形態と同様な円柱状の発泡スチロール製フロート２に図１２に示すように左右から取り付け、互いの開口縁９ａ，１０ａに形成されて重ね合わせられる孔９ｂ，１０ｂに樹脂性クリップ３を差し込んで固定する。鋸歯状スリット４も前記実施形態と同様の機能を有するものとして存在するが、本実施形態においては、水の排出効率を高めるためフロートカバー１の側面周縁に排水孔１１を形成している。他の作用効果は、前記実施形態と同様である。
【図面の簡単な説明】
【００３７】
【図１】本願発明の一実施形態に係るフロートカバーが装着されたフロートの正面図。
【図２】その側面図。
【図３】図１のＡ−Ａ断面図。
【図４】図１のＢ−Ｂ断面図。
【図５】図１のＣ−Ｃ断面図。
【図６】フロートカバーの取付図。
【図７】筏への取付図。
【図８】図７のＤ−Ｄ断面図。
【図９】本願発明の他の実施形態に係るフロートカバーが装着されたフロートの正面図。
【図１０】その側面図。
【図１１】図９のＥ−Ｅ断面図。
【図１２】フロートカバーの取付図。
【符号の説明】
【００３８】
Ｆ  フロート
Ｒ  レール
１  フロートカバー
１ａ  開閉口
１ｂ  孔
１ｃ  溝
２  発泡スチロール製フロート
３  樹脂製クリップ
４  鋸歯状スリット
５  取手用ロープ
６  取手
７  フロート取付用バンド
８  番線
９  フロートカバー左
９ａ  開口縁
９ｂ  孔
１０  フロートカバー右
１０ａ  開口縁
１０ｂ  孔
１１  排水孔
【図１】
2006006239.tif 000003
【図２】
2006006239.tif 000004
【図３】
2006006239.tif 000005
【図４】
2006006239.tif 000006
【図５】
2006006239.tif 000007
【図６】
2006006239.tif 000008
【図７】
2006006239.tif 000009
【図８】
2006006239.tif 000010
【図９】
2006006239.tif 000011
【図１０】
2006006239.tif 000012
【図１１】
2006006239.tif 000013
【図１２】
2006006239.tif 000014